(57)【要約】【課題】天板をスライド終端位置において支持体に対して容易に固定することができるようにした、作業効率に優れた天板付家具を提供する。【解決手段】天板３を支持体２に載せ置いたスライド始端位置Ｐと支持体２に固定すべきスライド終端位置Ｑとの間で支持体２に対して相対的にスライド移動させるスライド係合機構５に、天板３をスライド始端位置Ｐに位置付けた状態で、支持体２の正面側から天板３の使用縁側３ａと支持体２とを固定する固定機構５０を設けた。【選択図】図１
2004230079.tif 000002
【特許請求の範囲】
【請求項１】
天板と、自立性を有し天板を支持する支持体と、天板を支持体に載せ置いたスライド始端位置と支持体に固定すべきスライド終端位置との間で支持体に対して相対的にスライド移動させるスライド係合機構とを具備するものであって、
スライド係合機構が、天板を前記スライド終端位置に位置付けた状態で、支持体の正面側から天板の使用縁側と支持体とを固定する固定機構を備えていることを特徴とする天板付家具。
【請求項２】
支持体の上端部に上方へ突出させた上向突部を形成するとともに、天板に下方へ突出させた下向突部を形成し、天板のスライド移動により下向突部が上向突部に当接又は近接する位置を前記スライド終端位置としている請求項１記載の天板付家具。
【請求項３】
固定機構が、前記上向突部と、前記下向突部と、スライド終端位置で支持体の正面に対して奥行方向に重合しているこれら上向突部と下向突部とを移動不能に固定する固定具とを具備している請求項２記載の天板付家具。
【請求項４】
上向突部及び下向突部に、スライド終端位置において支持体の奥行方向へ連通する貫通孔をそれぞれ形成し、固定具を、下向突部の貫通孔の形成位置に取り付けたナット部材と、支持体の正面側から上向突部及び下向突部の各貫通孔に挿入され前記ナット部材に締着されるネジ部材とから構成している請求項３記載の天板付家具。
【請求項５】
支持体の上端部に上方へ突出する枠体を設け、この枠体の前壁を前記上向突部とするとともに、天板をスライド終端位置に位置付けた際に前記下向突部を枠体内に収容し、天板のスライド移動に伴って下向突部が枠体内を移動するようにしている請求項２、３又は４記載の天板付家具。
【請求項６】
スライド係合機構が、天板又は支持体の一方に設けた突出部と、この突出部を挿入すべく他方に設けた係合孔とを具備し、スライド始端位置で天板を支持体に載せ置いた際に突出部の突出端側を係合孔に挿入し、天板のスライド終端位置で突出部を係合孔に上動不能に係り合わせるようにしている請求項１、２、３、４又は５記載の天板付家具。
【請求項７】
スライド係合機構を、支持体に設けた前記突出部たる段付ピンと、この段付ピンを挿入すべく係合部材に設けた前記係合孔たるダルマ孔とを具備するものとし、スライド始端位置で天板を支持体に載せ置いた際に段付ピンの突出端側をダルマ孔の挿脱口に挿入し、天板のスライド終端位置で段付ピンの突出端側をダルマ孔の挿脱口の隣接位置にある小孔側に引き込んで上下方向に係り合わせるようにしている請求項６記載の天板付家具。
【請求項８】
天板が平面視Ｌ字形をなす異形天板であり、支持体が、この異形天板の両側端部をそれぞれ支持する一対の端部支持部材を具備し、これら端部支持部材によって異形天板の両側端部を同時に支持するとともに、使用縁側が相寄る方向を向く一対の端部支持部材の正面側から端部支持部材と天板とを前記固定機構によって固定するように構成している請求項１、２、３、４、５、６又は７記載の天板付家具。
【請求項９】
一対の端部支持部材の一方または双方が、引出しを備えた袖構造体である請求項８記載の天板付家具。
【請求項１０】
天板のスライド移動方向と、固定機構による天板の支持体に対する固定方向とが、同一方向となるように又は鋭角をなすように構成している請求項１、２、３、４、５、６、７、８又は９記載の天板付家具。
【発明の詳細な説明】
【０００１】
【発明の属する技術分野】
本発明は、天板を支持体に簡便な作業で着脱できるようにした天板付家具に関するものである。
【０００２】
【従来の技術】
従来より、天板を脚や袖構造体等の支持体に装着するに際して、天板を支持体に載せ置いた位置から所定方向へスライドさせ、そのスライドの終端位置で天板を支持体に固定するような構成を有する天板付家具が考えられている。特にスライド終端位置で天板を支持体に固定する構造としては、天板の下方に潜り込んで下方から天板を支持体に対してネジ止めするもの（例えば、特許文献１参照）や、側方から天板を支持体にネジ止めするもの（例えば、特許文献２参照）が一般的である。
【０００３】
【特許文献１】
特開平１１−１６４７３９号公報（図９等）
【特許文献２】
特願２００２−１７５９７３明細書及び図面
【０００４】
【発明が解決しようとする課題】
ところが、天板の下方からネジ止めする構造では、わざわざ屈み込んで天板下に潜り込み、窮屈な姿勢でドライバ等の工具を操作しなければならないという不具合を伴う。一方、天板の側方からネジ止めする構造では、例えば複数の天板付家具を天板の側端部同士を当接させて隣接配置している場合、その配置位置から天板付家具を移動させないとネジ止め作業を行うことができず、特に天板が大型である場合や支持体が引出し付の袖構造体等の重量物である場合には、天板の固定作業が極めて面倒である。また、上記何れの構成であっても、天板のスライド方向と固定方向とがほぼ直交するため、ネジに作用する剪断力が極めて大きく、天板を固定した状態でスライド方向へ外力を加えると、ネジなどが損傷するおそれがある。
【０００５】
そこで本発明は、以上のような問題に鑑みて、天板をスライド終端位置において支持体に対して容易に固定することができるようにした天板付家具を提供することを主たる目的としている。
【０００６】
【課題を解決するための手段】
すなわち、本発明の天板付家具は、天板と、自立性を有し天板を支持する支持体と、天板を支持体に載せ置いたスライド始端位置と支持体に固定すべきスライド終端位置との間で支持体に対して相対的にスライド移動させるスライド係合機構とを具備するものであって、スライド係合機構が、天板をスライド終端位置に位置付けた状態で、支持体の正面側から天板の使用縁側と支持体とを固定する固定機構を備えていることを特徴とするものである。
【０００７】
このような構造の天板付家具であれば、天板をスライド終端位置において支持体に固定するに際して、天板の下へ潜り込んでドライバ等の工具を操作したり、複数隣接配置した天板付家具を移動させることなく、支持体の正面側から天板を固定することができるため、その作業性を向上することが可能となる。
【０００８】
天板をスライド始端位置からスライド終端位置へ移動させ、そのスライド終端位置で確実に停止させることによって、天板の支持体への固定作業の確実性を実現するためには、支持体の上端部に上方へ突出させた上向突部を形成するとともに、天板に下方へ突出させた下向突部を形成し、天板のスライド移動により下向突部が上向突部に当接又は近接する位置を前記スライド終端位置とすることが望ましい。
【０００９】
この場合、具体的な固定機構の構成としては、前記上向突部と、前記下向突部と、スライド終端位置で支持体の正面に対して奥行方向に重合しているこれら上向突部と下向突部とを移動不能に固定する固定具とを具備するものとすることが好適である。さらに、天板の固定作業の簡易化を図るためには、上向突部及び下向突部に、スライド終端位置において支持体の奥行方向へ連通する貫通孔をそれぞれ形成し、固定具を、下向突部の貫通孔の形成位置に取り付けたナット部材と、支持体の正面側から上向突部及び下向突部の各貫通孔に挿入され前記ナット部材に締着されるネジ部材とから構成するとよい。
【００１０】
また、天板のスライド時におけるスライド方向以外へのブレを低減するためには、支持体の上端部に上方へ突出する枠体を設け、この枠体の前壁を前記上向突部とするとともに、天板をスライド終端位置に位置付けた際に前記下向突部を枠体内に収容し、天板のスライド移動に伴って下向突部が枠体内を移動するようにすることが好ましい。
【００１１】
具体的に好ましいスライド係合機構としては、天板又は支持体の一方に設けた突出部と、この突出部を挿入すべく他方に設けた係合孔とを具備し、スライド始端位置で天板を支持体に載せ置いた際に突出部の突出端側を係合孔に挿入し、天板のスライド終端位置で突出部を係合孔に上動不能に係り合わせるようにしたものが挙げられる。
【００１２】
より具体的にスライド係合機構として採用するのに適しているものには、支持体に設けた前記突出部たる段付ピンと、この段付ピンを挿入すべく係合部材に設けた前記係合孔たるダルマ孔とを具備するものとし、スライド始端位置で天板を支持体に載せ置いた際に段付ピンの突出端側をダルマ孔の挿脱口に挿入し、天板のスライド終端位置で段付ピンの突出端側をダルマ孔の挿脱口の隣接位置にある小孔側に引き込んで上下方向に係り合わせるように構成したものが挙げられる。
【００１３】
特に、天板が平面視Ｌ字形をなす異形天板である場合には一般に天板が大型であるため、支持体として、この異形天板の両側端部をそれぞれ支持する一対の端部支持部材を具備するものを採用し、これら端部支持部材によって異形天板の両側端部を同時に支持するとともに、使用縁側が相寄る方向を向く一対の端部支持部材の正面側から端部支持部材と天板とを前記固定機構によって固定するように構成することが適切である。この場合、端部支持体としては引出しを備えた袖構造体を採用し、一対の端部支持部材の一方または双方にこの袖構造体を適用すると、天板の安定したスライド動作と、天板を固定するための十分な領域の確保とを実現することができる。
【００１４】
また、天板のスライド移動方向と、固定機構による天板の支持体に対する固定方向とが、同一方向となるように又は鋭角をなすように構成すると、固定機構により天板を支持体に固定するのに伴って天板をスライド終端位置側へ引き込むこととなるので、強固な固定が可能となり、また従来のように天板のスライド方向と固定方向とが直交する場合と比較すると固定機構に作用する剪断力を低減することができる。
【００１５】
【発明の実施の形態】
以下、本発明の一実施形態を、図面を参照して説明する。
【００１６】
このこの実施形態の天板付家具１は、図１に示すように支持体２に異形天板３を載せ置き、この異形天板３を支持体２に対し図８に矢印で示すように相対的にスライド移動させることによって、異形天板３の少なくとも２箇所を支持体２の対応部位に、その間に介在させたスライド係合機構５を介して同時に接続するようにしたものである。
【００１７】
図１に示す支持体２は、主たる支持要素である袖構造体４と、補助的な支持要素であるコーナー脚６とを具備する。袖構造体４は、図１、図２、図４、図５及び図６等に示すように、上壁４Ａ、底壁４Ｂ、側壁及４Ｃ及び背壁４Ｄによって５面を閉止し前面側を開口させた収納空間を形成してなる筐体４０と、この筐体４０  の収納空間に出し入れ可能に収容される上下３組の引出し４Ｅ１，４Ｅ２，４Ｅ３とを備えた自立性のあるものである。背壁４Ｄには、後上方に向けて突出するオプション取付部材４Ｆが取り付けてある。コーナー脚６は、図１に示すように角パイプ状のもので、直交２面における前記オプション取付部材４Ｆの対応位置にオプション取付部材６Ａを有している。そして、一対の袖構造体４を所定角度（９０°）向きを変えて離間配置し、かつコーナー脚６の直交２面のうちの各面が各々最寄の袖構造体４の背壁４Ｄとそれぞれ面一となる位置に配置して、各袖構造体４とコーナー脚６との上端部間にそれぞれ角パイプ状のフレーム部材７を架け渡して固定することにより、これら一対の袖構造体４とコーナー脚６とを相互に接続して構造物として一体化している。また、この実施形態は、前記オプション取付部材４Ｆ、６Ａを利用して、図１、図８、図９等に示すように、異形天板３の反使用縁３ｂの２辺３ｂ１，３ｂ２にそれぞれ位置決め部材たる背面パネル９を取り付け、またコーナー部にコーナーボックス１０を取り付けるようにしている。
【００１８】
一方、異形天板３は、図２、図３、図８等に示すように、前記一対の袖構造体４及びコーナー脚６の上方をほぼ覆う大きさの平面視Ｌ字形をなす木製のものである。反使用縁３ｂは相互に直交する２辺３ｂ１、３ｂ２からなり、各辺３ｂ１、３ｂ２の中間部やコーナー部等には、それぞれ使用縁３ａ側に凹む凹所３Ｃ、３Ｄが設けてある。これら凹所３Ｃ，３Ｄは、上述した背面パネル９を取り付けたことにより、異形天板３とパネル９の壁面９Ｂとの間に配線類を落とし込むための空間として機能する。また、この異形天板３の使用縁３ａ側は、袖構造体４に支持される端部領域が対応する反使用縁３ｂの辺と平行をなし、コーナー脚６と対面する中央領域はコーナー脚６側に向けて大きく抉った形状をなし、これら中央領域と端部領域との間が滑らかに連続させてある。このような異形天板形状は、主として中央領域に着座した者が、コーナー部にＰＣのモニターやキーボード等を無理なく有効活用でき、また、左右両側に位置する天板面３Ａをサイドデスク的に有効利用できる環境を提供するためのものである。しかしてこの異形天板３は、反使用縁３ｂの直交２辺がなす内角を２等分する直線を境にして、平面視左右対称形状をなしている。
【００１９】
そして、本実施形態は前記スライド係合機構５を、袖構造体４の上壁４Ａに取り付けた枠体たる天板取付部材５Ａと、天板３の下面に取り付けた係合部材５Ｂ及び被固定部材１１との間に構成している。
【００２０】
天板取付部材５Ａは、図１〜図６等に示すように、袖構造体４の上壁４Ａの内側に収まる平面形状をなす底板５Ａ１と、この底板５Ａ１の左右両縁より起立する起立片５Ａ２及び前縁より起立する上向突出部たる前壁５Ａ４とを具備するスチール製の上方へ開放する枠体状をなすもので、左右の起立片５Ａ２の前後２箇所に、起立端から相寄る向きに水平片５Ａ３を形成し、前壁５Ａ４にも前方へ突出させた水平片５Ａ５を形成している。一方、係合部材５Ｂは、図１〜図３並びに図７等に示すように、底板５Ｂ１及び起立片５Ｂ２によってチャネル構造をなしその起立端から相離れる向きに取付片５Ｂ３を突出させてなるもので、この係合部材５Ｂを異形天板３の下面３Ｂに対して、当該異形天板３の所定取付位置において前記袖構造体４の天板取付部材５Ａに対向することとなる部位に取り付けている。この係合部材５Ｂは、その長手方向を天板３の反使用縁３ｂ側の辺に平行な方向（換言すれば、袖構造体４の幅方向、引出し４Ｅ１、４Ｅ２，４Ｅ３の出し入れと直交する方向）に合致させて配置される。
【００２１】
また、被固定部材１１は、異形天板３の下面３Ｂの前端部における両側端部に取り付けられ、下向突出部たる垂下片１１Ａを形成したものである。この被固定部材１１は、Ｌ字形金具からなるものであり、一片１１Ｄを異形天板３の下面３Ｂにビス止めなどにより取り付け、他片を垂下片１１Ａとして異形天板３の下面３Ｂからほぼ鉛直方向に垂下させている。この垂下片１１Ａは、後述するように前記天板取付部材５Ａの前壁５Ａ４と共にスライド係合機構５が有する固定機構を構成するものであり、この垂下片１１Ａと前壁５Ａ４とを相互に固定することにより、異形天板３を所定位置で固定するようにしてある。そのための構成として、前壁５Ａ４には水平方向に穿設した貫通孔５Ａ４ｈを形成し、それに対応する垂下片１１Ａの位置にも同様の貫通孔１１Ａｈを形成している。また、垂下片１１Ａの貫通孔１１Ａｈを形成した内面側には、ナット部材１１Ｃを溶接により取り付けている。本実施形態では、これら貫通孔５Ａ４ｈ、貫通孔１１Ａｈ及びナット部材１１Ｃを各２つずつ設けている。
【００２２】
そして、天板取付部材５Ａの底壁５Ａ１における後端部側に左右一対の取付孔（図示省略）を設けて突出部たる段付ピン８を上方からねじ込んで取り付ける一方、係合部材５Ｂの底板５Ｂ１に前記一対の取付孔と同一ピッチで長手方向２箇所に係合孔たるダルマ孔５Ｂ４を形成して、異形天板３のスライド始端位置Ｐで異形天板３を袖構造体４に載せ置いた際に図７（ａ）に想像線で示すように段付ピン８の突出端側の頭部８１をダルマ孔５Ｂ４の大径な挿脱口５Ｂ４１に挿入し、異形天板３のスライド終端位置Ｑで前記頭部８１を同図（ｂ）、（ｃ）、（ｄ）に示すように前記挿脱口５Ｂ４の隣接位置に設けた規制部たる小孔５Ｂ４２、５Ｂ４３の何れか一方に引き込んで上下方向に係り合わせるようにしている。小孔５Ｂ４２，５Ｂ４３は段付ピン８の軸部８２よりも開口が大きく頭部８１よりも開口が小さく設定されており、挿脱口５Ｂ４１の略中心から小孔５Ｂ４２，５Ｂ４３の略終端までの距離は、異形天板３をスライド移動させる距離に対応している。
【００２３】
その際、この天板付家具１が異形天板３を２箇所において支持すべく袖構造体４を所定角度（９０°）向きを変えて配置していることより、袖構造体４に取り付ける天板取付部材５Ａや異形天板３の対応部位に取り付ける係合部材５Ｂの配置方向も図１、図２、図９等に明らかなように同一角度（９０°）異なってくる。そこで、このような状況下においても、これら天板取付部材５Ａや支持部材５Ｂを各袖構造体４に共通部材として使用して袖構造体４の段付ピン８と異形天板３側のダルマ孔５Ｂ４との係合を有効に実現することができるように、且つそのスライド係合を均等に行うことができるように、係合部材５Ｂに設けるダルマ孔５Ｂ４の形状及び向きに工夫を凝らしている。
【００２４】
先ず、この実施形態は、スライド移動方向を、図８に示すように異形天板３の使用縁３ａや反使用縁３ｂの内角を二等分する二等分線方向（４５°方向）に設定する。使用縁３ａの内角は直線をなす端部領域の角度に相当する。これは、スライド係合機構５が所定角度（９０°）をなして平面視ハの字形に一対に配置されている点に着目すれば、スライド移動方向は前記両スライド係合機構５のなす角を二等分する二等分線方向であるとも言える。そして、そのために必要な要件として、着座者から見て右側の袖４構造体の対応部位に位置する係合部材５Ｂのダルマ孔５Ｂ４と、左側の袖構造体４の対応部位に位置する係合部材５Ｂのダルマ孔５Ｂ４とは、ともに挿脱口５Ｂ４１から前記二等分線方向に向いている必要がある。そこで、本実施形態は図３、図７、図８等に示すように、係合部材５Ｂのダルマ孔５Ｂ４に９０°異なる方向にもう１つ小孔５Ｂ４３を設けた二股形状を採用し、この係合部材５Ｂを９０°回転させて左側の係合部材５Ｂとして配置したときに、そのもう一つの小孔５Ｂ４３を前記二等分線方向を向かせるようにしている。
【００２５】
また、この天板付家具１においてスライド係合機構５は、異形天板３をスライド始端位置Ｐに誘導する位置決め機能と、異形天板３をスライド終端位置Ｑに固定する固定機構５０とを備えている。位置決め機能は、前記パネル９やコーナーボックス１０を利用することによって働くもので、図８に想像線で示すように、異形天板３の反使用縁３ｂ側のコーナー部及び２辺３ｂ１，３ｂ２をコーナーボックス１０や背面パネル９の前面９Ｂに突き当てることをもって、左右の袖構造体４におけるダルマ孔５Ｂ４の挿脱口５Ｂ４１と段付ピン８とが合致する位置決めがなされるように設定している。段付ピン８が挿脱口５Ｂ４１に挿入されると、異形天板３の天板面３Ａが沈み込んで背面パネル９の上端９Ａと略同一高さとなるようにして、目視と操作感によってスライド操作の準備ができたことを確認できるようになっている。また、固定機構５０は、図１〜図３等に示すように、前記袖構造体４の上壁４Ａに設けた天板取付部材５Ａの前壁５Ａ４と、異形天板３の下面３Ｂの対応部位に設けた垂下片１１Ａを有する被固定部材１１との協働作用により働くもので、被固定部材１１が異形天板３のスライド移動に伴って袖構造体４の前端部側へ移動し、垂下片１１Ａが前壁５Ａ４に後方から突き当たる位置を、異形天板３のスライド移動の終端となるスライド終端位置Ｑとしている。そして、袖構造体４の正面側から前後に対応する天板取付部材５Ａの前壁５Ａ４に形成した貫通孔５Ａ４ｈと被固定部材１１の垂下片１１Ａに形成した貫通孔１１Ａｈとにねじ部材１１Ｂを挿し通してナット部材１１Ｃに締めこむことによって、異形天板３をそのスライド終端位置Ｑに固定するようにしている。
【００２６】
次に、この実施形態における異形天板３の支持体２への取付手順について説明する。
【００２７】
先ず、異形天板３を、本来固定すべき位置よりも後方に変位させて支持体２に載せ置く。このとき、図８に想像線で示すように、異形天板３の反使用縁３ｂ側のコーナー部ないし反使用縁３ｂを構成する２辺３ｂ１，３ｂ２を背面パネル９のコーナー部前面に突き当てれば、ダルマ孔５Ｂ４の挿脱口５Ｂ４１と段付ピン８とを合致させるスライド始端位置Ｐに位置決めがなされ、載せ置いて異形天板３が沈み込んだときに段付ピン８の頭部８１をダルマ孔５Ｂ４の挿脱口５Ｂ４１に挿入することができる。次に、異形天板３に設けられた配線落とし込み用の凹所３Ｄ，３Ｃ等を利用し、その適宜部位を把持して、これを前記中心線方向にスライド移動させる。常に中心線方向に移動させることが好ましいが、段付ピン８とダルマ孔５Ｂ４の間にはクリアランスが存在し、そのクリアランスから多少の蛇行は許容されるため、操作し易ければその許容範囲で図８に矢印で示すようにジグザグに操作して、右側の袖構造体４における係合と左側の袖構造体４における係合とを交互に進行させるようにしてもよい。そして、異形天板３がスライドし得なくなった位置、すなわちスライド終端位置Ｑにまで移動したときに、袖構造体４の正面側からねじ部材１１Ｂを用いて天板取付部材５Ａの起立片５Ａ４と異形天板３の下面３Ｂに設けた被固定部材１１の垂下片１１Ａとを止着することによって、図８及び図９に示すように異形天板３の支持体２への取り付け作業を完了することができる。このとき、ネジ部材１１Ｂとナット部材１１Ｃとの締め付けによる異形天板３の固定方向は、袖構造体４の反使用端側から使用端側へ引っ張る方向であり、異形天板３のスライド始端位置Ｐからスライド終端位置Ｑへのスライド方向と鋭角（具体的に本実施形態では約４５°）をなすため、ネジ部材１１ｂをナット部材１１Ｃに締め込むと異形天板３がスライド終端位置Ｑ側へ引き込まれることになる結果、異形天板３を極めて強固に固定することができる。また、異形天板３をスライド終端位置Ｑにおいて固定した状態でスライド始端位置Ｐ側へ押し込む力を加えたとしても、従来のように天板のスライド方向と固定方向とが直交する場合と比べると、ネジ部材１１Ｂに作用する剪断力は小さいものといえるので、ネジ部材１１Ｂ等の損傷防止も図ることができる。
【００２８】
以上のようにして、本実施形態の天板付家具１は、支持体２に平面視Ｌ字形をなす異形天板３を載せ置き、この異形天板３を支持体２に対し相対的にスライド移動させることによって、異形天板３の少なくとも２箇所を支持体２の対応部位に、その間に介在させたスライド係合機構５を介して同時に接続するものであり、異形天板３をスライド終端位置Ｑにおいて支持体２を構成する袖構造体４にその正面側から固定するようにしている。このため、袖構造体４を含む支持体２を所定のレイアウトで予め配置した後に異形天板３を設置する際に、従来のように天板の下方に潜り込んだり引出し４Ｅ１，４Ｅ２，４Ｅ３を開けて手を差し込むといった不自由な姿勢で異形天板３の取付作業を行う必要がなく、異形天板３の取り付け作業の効率化を図ることができる。特に本実施形態のような大型の異形天板３を用いる場合にはこの効果は極めて顕著であり、例えば複数の天板付家具１同士または天板付家具１の側縁部に沿って他の家具を配置する場合などには、支持体の側方から天板をネジ止めする従来の方法であれば複数のこれら家具の配置後に天板を支持体に固定することができなかったが、本実施形態によると家具類のレイアウト後においても異形天板３の固定が可能となるという、極めて優れた作業効率が得られることとなる。
【００２９】
具体的には支持体に形成した上向突部である天板取付部材５Ａの前壁５Ａ４に対して天板に形成した下向突部である被固定部材１１の垂下片１１Ａが当接する位置をスライド終端位置Ｑとしており、その位置でこれら前壁５Ａ４と垂下片１１Ａとをネジ部材１１Ｂで固定するようにしているので、天板取付部材５Ａという異形天板３の支持構造を有効に利用した当該異形天板３の固定が可能となり、部品点数の削減を図ることができ、また異形天板３の取付操作も簡便である。
【００３０】
特に、被固定部材１１は、枠体状をなす天板取付部材５Ａ内を異形天板３のスライド移動に伴って移動するため、異形天板３のスライド移動にブレが生じにい。そのうえスライド移動自体は支持体２に設けた突出部たる段付ピン８と異形天板３に設けた係合孔たるダルマ孔５Ｂ４との関係によって適切にガイドされるため、異形天板３のスライド移動を極めてスムーズに行うことができる。
【００３１】
また、本実施形態で用いた天板は、平面視Ｌ字形をなす異形天板３であるので、このような比較的大型であり形状も通常の矩形天板とは異なっていることによる天板取付作業の困難さも、上述した本実施形態の構成によって解消することができ、さらに支持体２のうち端部支持体として袖構造体４を採用していることから、異形天板３の安定した設置及びスライド移動が実現される。
【００３２】
また、異形天板３を支持体２に載せ置く際に、この異形天板３の反使用縁３ｂを背面パネル９に、具体的には反使用縁３ｂを構成する２辺３ｂ１，３ｂ２及びコーナー部を背面パネル９の前面９Ｂとコーナーボックス１０とに当接させることで、異形天板３がスライド始端位置Ｐに位置付けられるように構成したので、無目標に異形天板３の置き場を探ることなく、目視と段付ピン８がダルマ孔５Ｂ４の挿脱口５Ｂ４１に入り込む操作感とによって、異形天板３の載置を始めとする取付作業を簡便に行うことができる。また、フレーム部材７はネジ止め等により袖構造体４とコーナー脚６との間を連結しているため、異形天板３を載せ置く前には２本のフレーム部材７同士がちょうど９０°をなしているとは限らないが、異形天板３を支持体２に載せ置いた際に反使用縁３ｂを背面パネル９に突き当てることで、フレーム部材７同士の連結の歪みを容易に矯正することができる。
【００３３】
以上、本発明の一実施形態について説明したが、各部の具体的な構成は、上述した実施形態のみに限定されるものではない。
【００３４】
例えば、支持要素は、袖構造体４以外に側板や脚構造体等であってもよく、また支持体は支持要素に分割されず全体として一体をなすものであってもよい。また、天板付家具は、内角が９０°の異形天板以外に、例えば１２０°、１３５°の異形天板を使用するものに本発明を適用しても、上記と同等の作業効果を上げることができる。さらに支持体は、必ずしも一対の支持要素に分割されていなくともよい。さらに天板には、上述した平面視Ｌ字形状の異形天板３に限らず、一般的な平面視矩形天板をはじめとして、平面視台形状、五角形状、扇形等の種々の異形天板をも適用することができる。また、上向突部や下向突部の形状や構成も上述の限りではなく、この種の天板付家具に通常備わっている構造部品を有効利用したり、適宜の後付けの部材を利用することができる。
【００３５】
その他、各部の具体的構成についても上記実施形態に限られるものではなく、本発明の趣旨を逸脱しない範囲で種々変形が可能である。
【００３６】
【発明の効果】
本発明は、以上に詳述したとおり、天板をスライド移動させて支持体に固定する際に、天板のスライド移動の終端であるスライド終端位置において、この天板を支持体の正面側から固定するようにした構成を採用したものである。そのため本発明によれば、従来は不自由且つ窮屈な姿勢で行わなければならなかった天板の下方からの取付作業や、複数の家具を側端部同士で隣接配置した場合にはレイアウト後の天板取付が不可能であった側方からの取付作業を全て回避し、極めて効率よく、しかもレイアウト後でも天板を後付けすることができるという優れた効果を奏する作業性に優れた天板付家具を提供することができる。
【図面の簡単な説明】
【図１】本発明の一実施形態に係る天板付家具を、支持体に異形天板を取り付ける前の状態において示す斜視図。
【図２】同正面図。
【図３】異形天板の下面を係合部材等とともに示す分解斜視図。
【図４】同実施形態の支持要素たる袖構造体を示す平面図。
【図５】同正面図。
【図６】同側面図。
【図７】同実施形態の係合部材をこれに設けられた係合孔たるダルマ孔と突出部たる段付ピンの相互作用と共に示す説明図。
【図８】同実施形態に係る天板付家具を、支持体に異形天板を取り付けた状態において示す平面図。
【図９】同正面図。
【符号の説明】
１…天板付家具
２…支持体
３…天板（異形天板）
４…袖構造体
５…スライド係合機構
５Ａ４…上向突部（前壁）
５Ａ４ｈ…貫通孔
５Ｂ４…係合孔
５Ｂ４１…挿脱口（ダルマ孔）
５Ｂ４２…小孔
５Ｂ４３…小孔
８…突出部（段付ピン）
１１…下向突部（被固定部材）
１１Ｂ…ネジ部材
１１Ｃ…ナット部材
１１Ａｈ…貫通孔
５０…固定機能
８１…突出端（頭部）
Ｐ…天板（スライド始端位置）
Ｑ…天板（スライド終端位置）
【図１】
2004230079.tif 000003
【図２】
2004230079.tif 000004
【図３】
2004230079.tif 000005
【図４】
2004230079.tif 000006
【図５】
2004230079.tif 000007
【図６】
2004230079.tif 000008
【図７】
2004230079.tif 000009
【図８】
2004230079.tif 000010
【図９】
2004230079.tif 000011